(57)【要約】【課題】本発明は、画像形成装置へ渡す処理対象データの処理に要する時間に応じて、画像形成装置の省電力モードへの移行を制御する。【解決手段】画像処理システム１は、ホスト装置ＨＳと画像処理装置ＧＳと画像形成装置Ｇｋが接続され、ホスト装置ＨＳからの印刷ジョブデータを、画像処理装置ＧＳが、画像形成装置Ｇｋで処理可能な印刷画像データにＲＩＰ処理して渡す。画像処理装置ＧＳは、画像形成装置Ｇｋから省電力モードへの移行を要求する休止要求があると、ＲＩＰ処理に要するＲＩＰ処理時間を求めるとともに、画像形成装置Ｇｋが省電力モードへ移行してその後復帰するのに要する総時間を取得し、ＲＩＰ処理時間と総時間に基づいて、休止要求を承認するか、休止要求を拒否するかを決定して制御する。【選択図】          図１
2017151752.tif 000002
【特許請求の範囲】
【請求項１】
消費電力を削減する省電力モードを有する印刷先の画像形成装置に接続され、画像データを印刷先の該画像形成装置で印刷可能な印刷画像データに変換して該画像形成装置へ渡す画像処理装置であって、
前記画像形成装置と通信する通信手段と、
前記画像データを前記印刷画像データに変換するデータ変換手段と、
前記データ変換手段が前記画像データを前記印刷画像データへ変換して前記通信手段から前記画像形成装置へ送信されるまでに要するデータ準備時間を算出する時間算出手段と、
前記画像形成装置の省電力モードへの移行を禁止する禁止情報を、前記通信手段を介して該画像形成装置へ出力する禁止手段と、
前記時間算出手段の算出する前記データ準備時間に基づいて前記禁止情報の出力を制御する制御手段と、
を備えていることを特徴とする画像処理装置。
【請求項２】
前記画像処理装置は、
前記省電力モードにある前記画像形成装置を通常電力モードへ復帰させる復帰情報を、前記通信手段を介して該画像形成装置へ出力する復帰手段を、
さらに備え、
前記制御手段は、
印刷先の前記画像形成装置が前記省電力モードであると、前記データ準備時間に基づいて前記復帰情報の出力を制御することを特徴とする請求項１記載の画像処理装置。
【請求項３】
前記時間算出手段は、
変換対象の前記画像データのデータ量と前記データ変換手段による単位データ量当たりの変換に要する単位変換時間に基づいて、前記データ準備時間を算出することを特徴とする請求項１または請求項２記載の画像処理装置。
【請求項４】
前記画像処理装置は、
前記制御手段による前記禁止情報と前記復帰情報のうち少なくともいずれかの情報の出力制御による前記省電力モード制御機能の有効／無効を指示操作する操作手段を、
さらに備えていることを特徴とする請求項１から請求項３のいずれかに記載の画像処理装置。
【請求項５】
前記画像処理装置は、
情報を出力する情報出力手段を、
さらに備え、
前記制御手段は、
前記データ準備時間を前記情報出力手段に出力させることを特徴とする請求項１から請求項４のいずれかに記載の画像処理装置。
【請求項６】
前記画像処理装置は、
前記画像形成装置が前記省電力モードへ移行するのに要する省電力移行時間及び該省電力モードから通常動作可能な通常電力モードへ復帰するのに要する復帰時間の総時間を該画像形成装置から取得する時間取得手段を、
さらに備え、
前記制御手段は、
前記データ準備時間と前記総時間に基づいて、前記禁止情報の出力を制御することを特徴とする請求項１から請求項５のいずれかに記載の画像処理装置。
【請求項７】
消費電力を削減する省電力モードを有する印刷先の画像形成装置と、画像データを印刷先の該画像形成装置で印刷可能な印刷画像データに変換して該画像形成装置へ渡す画像処理装置と、が接続されている画像処理システムであって、
前記画像処理装置は、
前記画像形成装置と通信する通信手段と、
前記画像データを前記印刷画像データに変換するデータ変換手段と、
前記データ変換手段が前記画像データを前記印刷画像データへ変換して前記通信手段から前記画像形成装置へ送信するまでに要するデータ準備時間を算出する時間算出手段と、
前記画像形成装置の省電力モードへの移行を禁止する禁止情報を、前記通信手段を介して該画像形成装置へ出力する禁止手段と、
前記時間算出手段の算出する前記データ準備時間に基づいて前記禁止情報の出力を制御する制御手段と、
を備え、
前記画像形成装置は、
前記画像処理装置と通信する通信手段と、
電力モードを制御するとともに、前記通信手段が前記画像処理装置から前記禁止情報を受信していると、該禁止情報を受信している間は、前記省電力モードへの移行を中止する電力モード制御手段と、
を備えていることを特徴とする画像処理システム。
【請求項８】
前記電力モード制御手段は、
自装置自体の状態が省電力モードへ移行する省電力移行条件を満たしたか判断して、該省電力移行条件を満たすと、前記通信手段に前記画像処理装置へ省電力モードへ移行する許可を求める省電力移行許可要求を送信させ、該省電力移行許可要求に対して該通信手段が前記禁止情報を受信しないと、該省電力モードへ移行することを特徴とする請求項７記載の画像処理システム。
【請求項９】
消費電力を削減する省電力モードを有する印刷先の画像形成装置に接続され、画像データを印刷先の該画像形成装置で印刷可能な印刷画像データに変換して該画像形成装置へ渡す画像処理装置における画像処理方法であって、
前記画像形成装置と通信する通信処理ステップと、
前記画像データを前記印刷画像データに変換するデータ変換処理ステップと、
前記データ変換処理ステップで前記画像データが前記印刷画像データへ変換されて前記通信処理ステップで前記画像形成装置へ送信されるまでに要するデータ準備時間を算出する時間算出処理ステップと、
前記画像形成装置の省電力モードへの移行を禁止する禁止情報を、前記通信処理ステップで該画像形成装置へ出力させる禁止処理ステップと、
前記時間算出処理ステップで算出される前記データ準備時間に基づいて前記禁止情報の出力を制御する制御処理ステップと、
を有していることを特徴とする画像処理方法。
【請求項１０】
消費電力を削減する省電力モードを有する印刷先の画像形成装置に接続され、画像データを印刷先の該画像形成装置で印刷可能な印刷画像データに変換して該画像形成装置へ渡す画像処理装置の搭載するプログラムであって、
コンピュータに、
前記画像形成装置と通信する通信処理と、
前記画像データを前記印刷画像データに変換するデータ変換処理と、
前記データ変換処理で前記画像データが前記印刷画像データへ変換されて前記通信処理で前記画像形成装置へ送信されるまでに要するデータ準備時間を算出する時間算出処理と、
前記画像形成装置の省電力モードへの移行を禁止する禁止情報を、前記通信処理で該画像形成装置へ出力させる禁止処理と、
前記時間算出処理で算出される前記データ準備時間に基づいて前記禁止情報の出力を制御する制御処理と、
を実行させることを特徴とするプログラム。
【発明の詳細な説明】
【技術分野】
【０００１】
本発明は、画像処理装置、画像処理システム、画像処理方法及びプログラムに関し、詳細には、ホスト装置からの画像データを処理して画像形成装置で画像形成させる画像処理装置、画像処理システム、画像処理方法及びプログラムに関する。
【背景技術】
【０００２】
近年、プリンタ装置、複合装置、ファクシミリ装置、複写装置等の画像形成装置においては、省エネルギー化が要望されている。そこで、画像形成装置は、待機状態において、動作要求が発生することなく所定の待ち時間が経過する等の省電力モード移行条件が整うと、主要各部への供給電力を、１段階あるいは複数段階で、削減また遮断する省電力モードを備えるようになってきている。
【０００３】
また、印刷システムとしては、短時間に大量の印刷を行うプロダクションプリンティングがある。このような印刷システムは、印刷処理の高速化を図るために、ホスト装置からの画像データを、上位の画像処理装置が受け取って、ＲＩＰ(Raster Image Processor)によって、印刷画像データ（描画データ等）に変換して、データ伝送路を介して画像形成装置へ送信する。
【０００４】
この場合、従来の画像形成装置は、上位の画像処理装置がホスト装置から画像データを受信すると、省電力モード移行要因が整っていても、省電力モードへの移行を待つ。そして、画像形成装置は、画像処理装置がＲＩＰ処理して処理後の印刷画像データが送られてくると、該印刷画像データに基づく印刷処理（画像形成処理）を終了した後に、省電力モードへ移行する。
【０００５】
ところが、画像処理装置における画像データによってはＲＩＰ処理に長時間を要することもあるが、このような場合においても、画像形成装置は、他に処理要求がなくても、印刷画像データが送られてきて印刷処理を終了するまで、省電力モードへの移行を待つ。
【０００６】
したがって、処理効率が悪く、消費電力が無駄に消費されるという問題があった。
【０００７】
そして、従来、ホストコンピュータ等の外部装置から入力されたデータを画像処理する処理手段と、画像処理された画像データを印刷するための画像印刷装置に接続する接続手段とを備えた画像処理装置において、前記画像印刷装置で印刷が行われる印刷モードと、前記画像印刷装置での消費電力を低減するスタンバイモードと、該スタンバイモードより消費電力量の少ないが印刷モードに移行するまで時間の要するシャットオフモードの各モードを切り替える移行命令を発行するモード移行命令手段と、前記画像データをスプールするスプール手段と、該スプール手段によりスプールされた画像データを前記画像印刷装置に一括して前記接続手段を介して転送する転送手段とを備え、前記モード移行命令手段は、該スプール手段によりスプールされた画像データが所定量に達する場合に、前記画像印刷装置をシャットオフモードからスタンバイモードに移行するための移行命令を発行し、更に、すべての画像データの受信が終了した場合に、前記転送手段による画像データの一括転送を行うべく、前記画像印刷装置をスタンバイモードから印刷モードに移行するための移行命令を発行することを特徴とする画像処理装置が提案されている（特許文献１参照）。
【０００８】
すなわち、この従来技術は、画像データの処理状況に応じて、複数段階ある省電力モードを徐々に印刷可能なモードへと移行させることで、省電力と処理効率の向上を図っている。
【０００９】
また、従来、電力状態を制御する電力制御手段と、前記電力制御手段による、主要各部への供給電力を遮断または削減する省電力モードあるいは主電力を遮断する主電力遮断モード等の省電力状態への移行要因である省電力移行要因の検出を行う省電力移行要因検出手段と、前記電力制御手段による前記省電力状態への移行の延期要因であって、ユーザによる装置の利用性に対応した延期要因を省電力延期要因として検出する省電力延期要因検出手段と、前記省電力移行要因検出手段が前記省電力移行要因を検出すると、前記電力制御手段に該省電力移行要因に応じた省電力状態へ移行させるとともに、少なくとも前記省電力延期要因検出手段が前記省電力延期要因を検出している間は、該電力制御手段による該省電力状態への移行を延期させる省電力移行規制手段と、を備えていることを特徴とする画像処理装置が提案されている（特許文献２参照）。
【００１０】
すなわち、この従来技術は、省電力移行要因が発生していても、ユーザによる延期要因がある間は、省電力状態への移行を延長することで、省電力と処理効率の向上を図っている。
【発明の概要】
【発明が解決しようとする課題】
【００１１】
しかしながら、上記従来技術にあっては、省電力からの復帰を、画像データの処理状況に応じて制御するか、ユーザによる延長要因に基づいて省電力状態への移行を制御している。したがって、画像形成装置は、省電力モードへ移行する場合については、上位の画像処理装置が画像データを受信していると、該画像処理装置における画像データの処理状況にかかわらず、該画像処理装置から処理済みの印刷画像データを受け取って印刷処理が完了するまで、省電力モードへの移行を待つ必要がある。その結果、画像形成装置は、他に処理要求がなくても、上位の画像処理装置が画像データを受信していると、省電力モードへ移行することができず、処理効率が悪いだけでなく、省電力効果が不十分であるという問題があった。
【００１２】
そこで、本発明は、画像形成装置へ渡す処理対象データの処理に要する時間に応じて、画像形成装置の省電力モードへの移行を制御することを目的としている。
【課題を解決するための手段】
【００１３】
上記目的を達成するために、請求項１記載の画像処理装置は、消費電力を削減する省電力モードを有する印刷先の画像形成装置に接続され、画像データを印刷先の該画像形成装置で印刷可能な印刷画像データに変換して該画像形成装置へ渡す画像処理装置であって、前記画像形成装置と通信する通信手段と、前記画像データを前記印刷画像データに変換するデータ変換手段と、前記データ変換手段が前記画像データを前記印刷画像データへ変換して前記通信手段から前記画像形成装置へ送信されるまでに要するデータ準備時間を算出する時間算出手段と、前記画像形成装置の省電力モードへの移行を禁止する禁止情報を、前記通信手段を介して該画像形成装置へ出力する禁止手段と、前記時間算出手段の算出する前記データ準備時間に基づいて前記禁止情報の出力を制御する制御手段と、を備えていることを特徴としている。
【発明の効果】
【００１４】
本発明によれば、画像形成装置へ渡す処理対象データの処理に要する時間に応じて、画像形成装置の省電力モードへの移行を制御することができる。
【図面の簡単な説明】
【００１５】
【図１】本発明の一実施例を適用した画像処理システムの概略構成図。
【図２】画像処理装置のブロック構成図。
【図３】画像処理装置の機能ブロック図。
【図４】画像形成装置のブロック構成図。
【図５】プリンタコントローラのブロック構成図。
【図６】画像形成装置の機能ブロック図。
【図７】画像処理シーケンス図。
【図８】休止制御処理を示すフローチャート。
【発明を実施するための形態】
【００１６】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１７】
図１〜図８は、本発明の画像処理装置、画像処理システム、画像処理方法及びプログラムの第１実施例を示す図であり、図１は、本発明の画像処理装置、画像処理システム、画像処理方法及びプログラムの第１実施例を適用した画像処理システム１の概略構成図である。
【００１８】
図１において、画像処理システム１は、プロダクションプリンティングシステム等であり、複数のホスト装置ＨＳ、画像処理装置ＧＳ及び画像形成装置ＧＫ等を備えている。
【００１９】
ホスト装置ＨＳは、通常のハードウェア構成及びソフトウェア構成のコンピュータ等が用いられており、ＬＡＮ（Local Area Network）等の有線または無線のネットワーク（通信網）ＮＷにより画像処理装置ＧＳと接続されている。ホスト装置ＨＳは、搭載するアプリケーションによって作成等された画像データと印刷設定から、任意のＰＤＬ（Page Description Language：ページ記述言語）で、画像データと印刷設定情報等を含む印刷ジョブデータを生成して画像処理装置ＧＳへ送信する。
【００２０】
画像処理装置ＧＳは、ホスト装置ＨＳから送信されてくる印刷ジョブデータに従ってＲＩＰ処理を行い、印刷画像データである各色のビットマップデータを生成する。画像処理装置ＧＳは、該印刷ジョブデータの印刷データ及び印刷設定情報等に基づいて、印刷動作（画像形成動作）を制御するための制御情報を生成する。
【００２１】
画像処理装置ＧＳは、画像形成装置ＧＫと複数のデータ線ＤＬと制御線ＳＬで接続されており、画像形成装置ＧＫは、プリンタコントローラ３０及びプリンタエンジン４０（図４参照）等を備えている。
【００２２】
画像処理装置ＧＳは、作成した各色の印刷画像データを、データ線ＤＬを介してプリンタエンジン４０へ渡し、制御線ＳＬを介してプリンタコントローラ３０との間で、制御情報及び処理結果信号の授受を行う。
【００２３】
画像形成装置ＧＫは、プリンタコントローラ３０が、画像処理装置ＧＳとの間で授受する制御情報に基づいてプリンタエンジン４０を制御して、画像形成媒体に対する画像形成を行わせる。なお、画像形成媒体としては、用紙、フィルム等の種々の媒体を用いることができるが、本実施例では、説明を簡単かつ明確にするため、画像形成媒体が用紙であるとして説明する。そして、画像形成装置Ｇｋは、動作要求がない状態で所定の待ち時間経過する等の省電力モード移行条件（休止条件）が満たされると、主要各部への電力の供給を停止または供給量を削減する省電力モード（休止状態）を備えている。
【００２４】
画像処理装置ＧＳは、通常のハードウェア構成のコンピュータ等が用いられており、図２に示すように、ＣＰＵ（Central Processing Unit）１１、ＲＯＭ（Read Only Memory）１２、ＲＡＭ（Random Access Memory）１３、ハードディスク（ＨＤＤ）１４、外部Ｉ／Ｆ（インターフェイス）１５、制御情報用Ｉ／Ｆ１６及び印刷画像データ用Ｉ／Ｆ１７等を備えている。画像処理装置ＧＳは、上記各部が、バス１８に接続されており、バス１８を介して相互に通信可能となっている。また、画像処理装置ＧＳは、図示しないが、バス１８に接続されている入力Ｉ／Ｆに、キーボード、マウス等の入力デバイスが接続され、バス１８に接続されている出力Ｉ／Ｆに、ディスプレイ、スピーカ等の出力デバイスが接続されている。
【００２５】
ＲＯＭ１２は、画像処理装置ＧＳとしての基本プログラム、本発明の画像処理方法を実行するプログラム、システムデータ等が格納されており、基本プログラムや本発明の画像処理方法のプログラムは、ハードディスク１４に格納されていてもよい。
【００２６】
ＣＰＵ１１は、ＲＯＭ１２等のプログラムに基づいて、ＲＡＭ１３をワークメモリとして利用して、画像処理装置ＧＳの各部を制御し、画像処理装置ＧＳとしての基本処理を実行するとともに、本発明の画像処理方法を実行する。すなわち、ＣＰＵ１１は、ＲＯＭ１２の画像処理方法のプログラムに基づいて画像形成装置ＧＫへ渡す画像データの処理に要する時間を算出して該時間に応じて、画像形成装置ＧＫの省電力モードへの移行を制御する。
【００２７】
ＲＡＭ１３は、ＣＰＵ１１のワークメモリとして用いられ、また、処理中の画像データ等のデータが格納される。
【００２８】
外部Ｉ／Ｆ１５は、ネットワークＮＷによりホスト装置ＨＳと接続され、例えば、ＴＣＰ／ＩＰ（Transmission Control Protocol／Internet Protocol）に対応して、ＣＰＵ１１の制御下で、ホスト装置ＨＳと通信する。外部Ｉ／Ｆ１５は、Wake On LAN（わずかな待機電力で、ウェイクアップする機能を有するネットワークデバイス）を備えている。
【００２９】
制御情報用Ｉ／Ｆ１６は、制御線ＳＬにより画像形成装置ＧＫのプリンタコントローラ３０と接続され、ＣＰＵ１１の制御下で、プリンタコントローラ３０との間で、制御情報の授受を行う。
【００３０】
印刷画像データ用Ｉ／Ｆ１７は、データ線ＤＬにより画像形成装置ＧＫと接続されており、ＣＰＵ１１の制御下で、画像形成装置ＧＫへ印刷画像データの送信を行う。なお、データ線ＤＬは、複数チャネルを有し、印刷画像データ用Ｉ／Ｆ１７は、複数のチャネルで印刷画像データの送信を行う。すなわち、印刷画像データ用Ｉ／Ｆ１７は、画像処理装置ＧＳが生成したＹ（Yellow）、Ｃ（Cyan）、Ｍ（Magenta）及びＫ（Black）の各色の印刷画像データを、それぞれのチャネルによって送信する。印刷画像データ用Ｉ／Ｆ１７は、高速な転送速度が要求されるため、例えば、ＰＣＩｅ（Peripheral Component Interconnect Bus Express）が用いられている。制御情報用Ｉ／Ｆ１６の通信方式は、特に限定されないが、印刷画像データ用Ｉ／Ｆ１７と同様に、ＰＣＩｅが用いられていてもよい。
【００３１】
画像処理装置ＧＳは、外部Ｉ／Ｆ１５が、ホスト装置ＨＳから印刷ジョブデータを受信すると、ＣＰＵ１１がハードディスク１４に格納する。ＣＰＵ１１は、ＨＤＤ１４から印刷ジョブデータをＲＡＭ１３へ読み出し、画像データにＲＩＰ処理を行って、各色のビットマップデータを生成してＲＡＭ１３に書き出す。例えば、ＣＰＵ１１は、ＲＩＰ処理によりＰＤＬデータをレンダリングして各色のビットマップデータを生成してＲＡＭ１３に書き出す。ＣＰＵ１１は、ＲＡＭ１３に書き出した各色のビットマップデータを圧縮符号化してＨＤＤ１４に一旦格納する。ＣＰＵ１１は、例えば、画像形成装置ＧＫにおいて印刷動作が開始される際に、ＨＤＤ１４から圧縮符号化されている各色のビットマップデータを読み出して復号伸長し、伸長した各色のビットマップデータをＲＡＭ１３にそれぞれ書き込む。ＣＰＵ１１は、ＲＡＭ１３から各色のビットマップデータを読み出して、各色の印刷画像データとして印刷画像データ用Ｉ／Ｆ１７の各チャネルから出力させ、画像形成装置ＧＫに対して供給する。ＣＰＵ１１は、印刷動作の進行等に応じて、印刷を制御するための制御情報の送受信を、制御情報用Ｉ／Ｆ１６を介して画像形成装置ＧＫとの間で行う。
【００３２】
画像処理装置ＧＳは、ＣＰＵ１１が、Ｗｅｂサーバ機能により、外部Ｉ／Ｆ１５を介してホスト装置ＨＳに対して各種情報提供と設定変更を可能とするリモートコンソール機能を有していてもよい。すなわち、ＣＰＵ１１は、Ｗｅｂサーバ機能を備え、ホスト装置ＨＳのＷｅｂブラウザと外部Ｉ／Ｆ１５を介してＨＴＴＰ（Hyper Text Transfer Protocol）で通信を行って、印刷ジョブの状態、消耗品の状態、エラーの状態、各種設定の参照及び変更を提供する。また、画像処理装置ＧＳは、上記図示しないディスプレイに、印刷ジョブの状態、消耗品の状態、エラーの状態、各種設定等の情報を、参照及び変更可能な状態で表示してもよい。
【００３３】
画像処理装置ＧＳは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の画像処理方法を実行するプログラムを読み込んでＲＯＭ１２やＨＤＤ１４に導入することで、後述する画像形成装置ＧＫへ渡す処理対象データの処理に要する時間に応じて、画像形成装置ＧＫの省電力モードへの移行を制御する画像処理方法を実行する画像処理装置として構築されている。この画像処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３４】
そして、画像処理装置ＧＳは、本発明の画像処理方法のプログラムが導入されることで、図３に示す機能ブロックが構築される。すなわち、画像処理装置ＧＳは、該画像処理方法のプログラムが導入されると、図３に示すように、データ変換部２１、時間算出部２２、制御部２３、禁止部２４、通信部２５、復帰部２６、操作部２７、情報出力部２８及び時間取得部２９が構築される。
【００３５】
通信部２５は、制御情報用Ｉ／Ｆ１６及び印刷画像データ用Ｉ／Ｆ１７により構築され、画像形成装置ＧＫと通信する。したがって、通信部２５は、通信手段として機能している。
【００３６】
データ変換部２１は、ＣＰＵ１１により構築され、画像データを印刷画像データに変換する。具体的には、データ変換部２１は、ホスト装置ＨＳからの画像データに対してＲＩＰ処理を施すことで、印刷先の画像形成装置ＧＫで処理可能な印刷データに変換する。したがって、データ変換部２１は、データ変換手段として機能している。
【００３７】
時間算出部２２は、ＣＰＵ１１により構築され、データ変換部２１が画像データを印刷画像データへ変換して通信部２５から画像形成装置ＧＫへ送信するまでに要するデータ準備時間（ＲＩＰ処理時間）を算出する。時間算出部２２は、変換対象の画像データのデータ量とデータ変換部２１による単位データ量当たりの変換に要する単位変換時間に基づいて、データ準備時間を算出する。例えば、時間算出部２２は、画像データからＲＩＰ処理して印刷画像データを生成するまでの時間をデータ準備時間（以下、適宜、ＲＩＰ処理時間という。）として算出する。具体的には、時間算出部２２は、画像データの１ページ当たりのデータサイズを調べ、予め設定されている閾値より大きい毎に変数を求める。そして、時間算出部２２は、画像データが、ｎバイトまでであると、変数を「１」、ｍバイトまでであると、変数を「２」とする等の変数設定を行う。時間算出部２２は、画像形成装置Ｇｋが１ページの印刷に要する印刷必要時間に、求めた変数を乗算することでデータ準備時間（ＲＩＰ処理時間）を算出する。なお、このデータ準備時間（ＲＩＰ処理時間）の算出は、上記方法に限るものではない。したがって、時間算出部２２は、時間算出手段として機能している。
【００３８】
禁止部２４は、ＣＰＵ１１により構築され、画像形成装置ＧＫの省電力モードへの移行を禁止する禁止情報を、通信部２５を介して該画像形成装置ＧＫへ出力する。したがって、禁止部２４は、禁止手段として機能している。
【００３９】
制御部２３は、ＣＰＵ１１により構築され、時間算出部２２の算出するデータ準備時間に基づいて、禁止部２４から通信部２５を介した禁止情報の出力を制御する。したがって、制御部２３は、制御手段として機能している。
【００４０】
復帰部２６は、ＣＰＵ１１により構築され、省電力モードにある画像形成装置ＧＫを通常電力モードへ復帰させる復帰情報を、通信部２５を介して該画像形成装置ＧＫへ出力する。したがって、復帰部２６は、復帰手段として機能している。
【００４１】
制御部２３は、印刷先の画像形成装置ＧＫが省電力モードにあると、データ準備時間に基づいて、復帰部２６から通信部２５を介した該画像形成装置Ｇｋへの復帰情報の出力を制御する。
【００４２】
操作部２７は、画像処理装置ＧＳの備えている上記キーボード、マウス等の入力デバイスにより構築され、制御部２３による禁止情報（休止拒否）と復帰情報（起動要求）のうち少なくともいずれかの情報の出力制御による省電力モード制御機能の有効／無効を指示する操作が行われる。したがって、操作部２７は、操作手段として機能している。この場合、制御部２３は、操作部２７からの省電力モード制御機能の有効／無効の操作に応じて、データ準備時間に基づく印刷先の画像形成装置Ｇｋの省電力モードの制御を行うか否かを決定する。
【００４３】
情報出力部２８は、画像処理装置ＧＳの備えている上記ディスプレイ、スピーカ等の出力デバイスで構築され、制御部２３の制御下で、データ準備時間を出力する。したがって、情報出力部２８は、情報出力手段として機能している。
【００４４】
時間取得部２９は、ＣＰＵ１１により構築されており、通信部２５が画像形成装置Ｇｋから受け取るコマンド（後述する休止要求）から、画像形成装置Ｇｋの休止への移行時間（休止移行時間）、休止状態の画像形成装置Ｇｋが起動するのに要する起動時間及び給紙を延長する休止延長時間を、取得する。したがって、時間取得部２９は、時間取得手段として機能している。
【００４５】
画像処理装置ＧＳは、プリンタコントローラ３０及びプリンタエンジン４０を備えている。プリンタコントローラ３０は、制御線ＳＬが接続され、画像処理装置ＧＳとの間で制御線ＳＬを介して制御情報の送受信を行って印刷動作の制御を行い、また、休止要因検出の休止要求も制御線ＳＬを介して行う。プリンタエンジン４０は、それぞれ同一構成のデータ転送制御部４１ａ、４１ｂ、４１ｃ、４１ｄ、データ転送制御部４１ａ〜４１ｄの内蔵するメモリ４２ａ、４２ｂ、４２ｃ、４２ｄ、画像出力部４３及び搬送制御部４４等を備えている。データ転送制御部４１ａ〜４１ｄは、データ線ＤＬがそれぞれ接続され、プリンタコントローラ３０の制御に従って、これらデータ線ＤＬを介して画像処理装置ＧＳから転送されてくる各色の印刷画像データを受信する。データ転送制御部４１ａ〜４１ｄは、それぞれメモリ４２ａ〜４２ｄを含み、画像処理装置ＧＳから、データ線ＤＬを介して転送されてきた各色の印刷画像データを、対応するメモリ４２ａ〜４２ｄに格納する。メモリ４２ａ〜４２ｄは、例えば、同一のメモリ容量と、アドレス構成とを有し、好ましくは少なくとも３ページ分の印刷画像データを格納可能な容量を有している。すなわち、この３ページ分の印刷画像データは、例えば、画像処理装置ＧＳから転送中のページの印刷画像データと、現在出力中のページの印刷画像データと、次のページの印刷画像データとに対応する。画像出力部４３は、所定の印刷方式（電子写真方式、インクジェット方式等）で、印刷画像データに基づく画像を用紙に出力し、画像形成（印刷出力）を行う。搬送制御部４４は、プリンタエンジン４０の給紙部に収納されている用紙を、画像出力部４３の画像形成を行う画像形成部へ搬送し、画像形成後の用紙を排紙トレイへ排出する。
【００４６】
プリンタコントローラ３０は、プリンタエンジン４０の各データ転送制御部４１ａ〜４１ｄと接続され、各データ転送制御部４１ａ〜４１ｄとの間で、それぞれ個別に制御信号の送受信を行う。また、プリンタコントローラ３０は、プリンタエンジン４０の搬送制御部４４との間で制御信号の授受を行って、搬送制御部４４により用紙搬送を制御する。さらに、プリンタコントローラ３０は、画像出力部４３と接続され、画像出力部４３の画像形成動作を制御する。
【００４７】
プリンタコントローラ３０は、図５に示すように、ＣＰＵ３１、ＲＯＭ３２、ＲＡＭ３３、操作パネル３４及びＩ／Ｆ（インターフェイス）３５を有し、これら各部は、相互に通信可能にバス３６に接続されている。バス３６には、図示されない通信Ｉ／Ｆを介して制御線ＳＬが接続されている。
【００４８】
ＣＰＵ３１は、ＲＯＭ３２に格納されるプログラムに従いＲＡＭ３３をワークメモリとして使用して動作し、画像形成装置ＧＫの全体の動作を制御する。
【００４９】
Ｉ／Ｆ３５は、上記搬送制御部４４及びデータ転送制御部４１〜４１ｄが接続されており、プリンタコントローラ３０は、Ｉ／Ｆ３５を介してプリンタエンジン４０の起動と休止の制御を行う。Ｉ／Ｆ３５は、ハードウェア的に構成されたロジック回路が含まれており、プリンタコントローラ３０と、データ転送制御部４１ａ〜４１ｄ、ならびに、搬送制御部４４との通信を制御する。
【００５０】
操作パネル３４は、通常の画像処理装置ＧＳの動作指示を行う各種操作キーや画像処理装置からユーザに通知する各種情報を表示するディスプレイ（液晶ディスプレイ等）を備えている。
【００５１】
そして、画像形成装置Ｇｋは、図示しない電源電力部から各部へ必要な電力供給を行っているが、省電力モードを備えており、プリンタコントローラ３０の制御下で、所定の省電力移行条件を満たすと、省電力モードへ移行する。この省電力モードは、例えば、画像形成装置Ｇｋの主要各部、例えば、プリンタエンジン４０への電力供給の停止または削減を行う電力モードであり、これに対して、通常電力モードは、画像形成装置Ｇｋが通常動作可能な電力モードである。
【００５２】
画像形成装置Ｇｋは、本発明の画像処理方法のプログラムが導入されることで、図６に示すような機能ブロックが構築される。すなわち、画像形成装置Ｇｋは、本発明の画像処理方法のプログラムが導入されると、図６に示すように、通信部５１及び電力モード制御部５２が構築される。
【００５３】
通信部５１は、プリンタコントローラ３０の図示しない通信Ｉ／Ｆにより構築され、画像処理装置ＧＳと通信する。したがって、通信部５１は、通信手段として機能している。
【００５４】
電力モード制御部５２は、コントローラ３０のＣＰＵ３１により構築されている。電力モード制御部５２は、電力モードを制御するとともに、通信部５１が画像処理装置ＧＳから省電力モードへの移行を禁止する休止拒否（禁止情報）を受信していると、該休止拒否（禁止情報）を受信している間は、該省電力モードへの移行を中止する。したがって、電力モード制御部５２は、電力モード制御手段として機能している。なお、電力モード制御部５２は、具体的には、画像処理装置ＧＳとの通信結果、印刷ジョブ状態、操作パネル３４からの情報に基づいて、省電力モード（休止状態）に移行するか否か判断する。電力モード制御部５２は、省電力移行条件（休止条件）が成立すると、省電力移行要求（休止要求）を画像処理装置ＧＳへ通知する。電力モード制御部５２は、休止要求に応じて、画像処理装置ＧＳから省電力移行承認（休止承認）があると、プリンタエンジン４０への電力供給を停止または削減して省電力モードへ移行して休止させる。また、電力モード制御部５２は、画像処理装置ＧＳから、起動要求があると、省電力モードから復帰して、プリンタエンジン４０を起動する。電力モード制御部５２は、休止要求に対して、画像処理装置ＧＳから休止拒否を受信すると、休止状態（省電力モード）への移行を中止し、通常動作可能な通常電力モードを維持する。
【００５５】
次に、本実施例の作用を説明する。本実施例の画像処理システム１は、画像処理装置ＧＳが、画像形成装置Ｇｋへ渡す処理対象データの処理に要する時間に応じて、画像形成装置Ｇｋの省電力モードへの移行を制御する。
【００５６】
すなわち、画像l処理システム１は、ホスト装置ＨＳから画像処理装置ＧＳへ、画像データと印刷設定情報等を含む印刷ジョブデータを送信する。画像処理装置ＧＳは、ホスト装置ＨＳから送信されてくる印刷ジョブデータに従ってＲＩＰ処理を行い、印刷画像データである各色のビットマップデータを生成する。画像処理装置ＧＳは、また、該印刷ジョブデータの印刷データ及び印刷設定情報等に基づいて、印刷動作（画像形成動作）を制御するための制御情報を生成する。
【００５７】
画像処理装置ＧＳは、画像形成装置ＧＫと複数のデータ線ＤＬと制御線ＳＬで接続されている。画像処理装置ＧＳは、作成した各色の印刷画像データを、データ線ＤＬを介してプリンタエンジン４０へ渡し、制御線ＳＬを介してプリンタコントローラ３０との間で、制御情報及び処理結果信号の授受を行う。
【００５８】
そして、画像形成装置Ｇｋは、省電力モードを有しており、予め設定されている待ち時間の間、動作要求がない等の休止条件（省電力移行条件）が満たされると、休止状態（省電力モード）へ移行する。
【００５９】
ところが、本実施例の画像形成装置Ｇｋは、休止状態へ移行する前に、休止承認を画像処理装置ＧＳへ通知して、画像処理装置ＧＳから休止承認（省電力移行承認）があるときにのみ、休止状態へ移行する。画像形成装置Ｇｋは、画像処理装置ＧＳから画像処理装置ＧＳから休止承認がないと、休止状態への移行を中止する。すなわち、画像形成装置Ｇｋは、省電力モードへの移行を禁止する禁止情報が、画像処理装置ＧＳから送られてきている間は、省電力モードへの移行を行わない。
【００６０】
すなわち、画像処理システム１は、図７に示すように、ホスト装置ＨＳは、適宜の画像データに対して印刷要求が発生すると、印刷ジョブデータを生成して、画像処理装置ＧＳへ印刷ジョブデータを送信する（Ｓ１）。
【００６１】
一方、画像形成装置Ｇｋは、所定の省電力移行待ち時間が経過して、休止移行要因が発生したかを、常時、検出する処理を行う（Ｓ２）。
【００６２】
画像処理装置ＧＳは、ホスト装置ＨＳから印刷ジョブデータを受信すると、該印刷ジョブデータをハードディスク１４に保管して、ＲＩＰ処理を行う（Ｓ３）。
【００６３】
そして、画像形成装置Ｇｋは、省電力移行要因（休止要因）が発生すると、休止要求を、画像処理装置ＧＳへ送信する（Ｓ４、Ｓ１４）。
【００６４】
図７において、処理工程のＳ４〜Ｓ１３は、画像処理装置ＧＳが画像形成装置Ｇｋからの休止要求に対して休止承認を行う場合であり、処理工程のＳ１４〜Ｓ１８は、休止要求に対して休止拒否を行う場合である。
【００６５】
まず、処理工程Ｓ４〜Ｓ１３の休止承認を行う場合について説明する。画像形成装置Ｇｋは、休止要因が発生すると、休止要求を画像処理装置ＧＳへ通知する（Ｓ４）。なお、この休止要求には、画像形成装置Ｇｋに予め設定されている画像形成装置Ｇｋの休止への移行時間、休止状態の画像形成装置Ｇｋが起動するのに要する起動時間及び画像形成装置Ｇｋの休止を延長する延長時間を示すパラメータが含まれている。
【００６６】
画像処理装置ＧＳは、画像形成装置Ｇｋから休止要求があると、ホスト装置ＨＳから受け取っている印刷ジョブデータのデータ準備時間であるＲＩＰ処理時間の算出を行う（Ｓ５）。画像処理装置ＧＳは、ＲＩＰ処理時間算出の結果、休止を認めるときには、休止承認を画像形成装置Ｇｋに送信する（Ｓ６）。なお、この休止を認めるか否かの休止制御処理については、後で詳細に説明する。
【００６７】
画像形成装置Ｇｋは、休止承認が画像処理装置ＧＳから送られてくると、主要各部への電力の供給を停止または削減して、省電力モード（休止状態）へ移行する（Ｓ７）。
【００６８】
一方、画像処理装置ＧＳは、休止承認を送信した後も、休止制御処理を継続して、ＲＩＰ処理時間の監視を行い（Ｓ８）、ＲＩＰ処理時間が経過して画像形成装置Ｇｋを起動させるタイミングになると、起動要求を画像形成装置Ｇｋへ送信する（Ｓ９）。
【００６９】
画像形成装置Ｇｋは、起動要求が画像処理装置ＧＳから送られてくると、主要各部への電力の供給を再開して、省電力モード（休止状態）から復帰して起動し（Ｓ１０）、起動を完了すると、起動完了通知を画像処理装置ＧＳへ送信する（Ｓ１１）。
【００７０】
画像処理装置ＧＳは、画像形成装置Ｇｋから起動完了通知があると、印刷画像データと制御信号を画像形成装置Ｇｋへ送信して、印刷を開始させる（Ｓ１２）。
【００７１】
画像形成装置Ｇｋは、印刷画像データと制御信号が送られてくると、該印刷画像データと制御信号に基づいて、画像を用紙に印刷する印刷処理を開始し、全てのページの印刷が完了すると、印刷終了通知を画像処理装置へ送信して印刷処理を終了する（Ｓ１３）。
【００７２】
次に処理工程Ｓ１４〜Ｓ１８の休止拒否を行う場合について説明する。画像形成装置Ｇｋは、休止要因が発生すると、上述のように、休止要求を画像処理装置ＧＳへ通知する（Ｓ１４）。
【００７３】
画像処理装置ＧＳは、画像形成装置Ｇｋから休止要求があると、ホスト装置ＨＳから受け取っている印刷ジョブデータのデータ準備時間であるＲＩＰ処理時間の算出を行う（Ｓ１５）。画像処理装置ＧＳは、ＲＩＰ処理時間算出の結果、休止を認めないときには、休止拒否を画像形成装置Ｇｋに送信する（Ｓ１６）。
【００７４】
画像形成装置Ｇｋは、休止拒否が画像処理装置ＧＳから送られてくると、省電力モード（休止状態）への移行を中止して、印刷画像データと制御信号が送られてくるのを待つ。
【００７５】
画像処理装置ＧＳは、生成した印刷画像データと制御信号を画像形成装置Ｇｋへ送信して、印刷を開始させる（Ｓ１７）。
【００７６】
画像形成装置Ｇｋは、画像処理装置ＧＳから送信されてきた印刷画像データと制御信号に基づいて、画像を用紙に印刷する印刷処理を開始し、全てのページの印刷が完了すると、印刷終了通知を画像処理装置へ送信して印刷処理を終了する（Ｓ１８）。
【００７７】
画像処理装置ＧＳは、画像形成装置Ｇｋから印刷完了通知を受信すると、画像制御処理を終了する。
【００７８】
そして、画像処理装置ＧＳは、上記ＲＩＰ処理を伴う休止制御処理を、図８に示すように実行する。
【００７９】
すなわち、画像処理装置ＧＳは、ホスト装置ＨＳから印刷ジョブデータを受信すると、該印刷ジョブデータに対するＲＩＰ処理時間を算出する（ステップＳ１０１）。このＲＩＰ処理時間は、受信した印刷ジョブデータの画像データにＲＩＰ処理を施して、ビットマップデータの印刷画像データを生成し、該印刷画像データと制御信号に基づいて画像形成装置Ｇｋで印刷が可能な状態となるまでの時間をいう。
【００８０】
画像処理装置ＧＳは、画像形成装置Ｇｋに予め設定されている画像形成装置Ｇｋの休止への移行時間（休止移行時間）を、画像形成装置Ｇｋから送られてくる休止要求のパラメータから取得する（ステップＳ１０２）。
【００８１】
次に、画像処理装置ＧＳは、画像形成装置Ｇｋに予め設定されている休止状態の画像形成装置Ｇｋが起動するのに要する起動時間を、画像形成装置Ｇｋから送られてくる休止要求のパラメータから取得する（ステップＳ１０３）。
【００８２】
さらに、画像処理装置ＧＳは、画像形成装置Ｇｋに予め設定されている画像形成装置Ｇｋの休止を延長する休止延長時間を、画像形成装置Ｇｋから送られてくる休止要求のパラメータから取得する（ステップＳ１０４）。
【００８３】
画像処理装置ＧＳは、上記休止移行時間、起動時間及び休止延長時間を取得すると、これらを総和した総時間を算出する（ステップＳ１０５）。この総時間は、画像形成装置Ｇｋを休止させて、再度起動させた後に、印刷を開始させるのに係る時間を示している。
【００８４】
画像形成装置Ｇｋは、算出したＲＩＰ処理時間（図８のステップＳ１０６では、ＲＩＰ時間と記載している。）が、算出した総時間よりも長いかチェックする（ステップＳ１０６）。
【００８５】
画像処理装置ＧＳは、総時間を、情報出力部２８に表示出力し、操作部２７からユーザによって、禁止情報（休止拒否）と復帰情報（起動要求）のうち少なくともいずれかの情報の出力制御による省電力モード制御機能の有効／無効を指示する操作を受け付けてもよい。制御部２３は、この操作の結果に応じて、画像形成装置Ｇｋに対する省電力モード制御の実行、実行中止を行う。
【００８６】
ステップＳ１０６で、ＲＩＰ処理時間が総時間以下であると（ステップＳ１０６で、ＮＯのとき）、画像処理装置ＧＳは、画像形成装置Ｇｋに休止拒否を通知して、休止制御処理を終了する（ステップＳ１０７）。すなわち、この場合、画像処理装置ＧＳは、休止させて、再度、起動させて印刷させる間に、ＲＩＰ処理が完了すると判断して、休止させることなく、ＲＩＰ処理が完了して印刷画像データと制御信号を送るまで画像形成装置Ｇｋを待たせる。
【００８７】
ステップＳ１０６で、ＲＩＰ処理時間が総時間よりも長いと（ステップＳ１０６で、ＹＥＳのとき）、画像処理装置ＧＳは、画像形成装置Ｇｋに休止許可を通知する（ステップＳ１０８）。画像処理装置ＧＳは、休止許可を通知すると、ＲＩＰ処理時間から求めた再起動までの時間をセットしたタイマを起動させて休止制御処理を終了する（ステップＳ１０９）。
【００８８】
なお、上記説明においては、説明を明確にするために、１台の画像処理装置ＧＳに対して、１台の画像形成装置Ｇｋが接続されている場合について説明したが、１台の画像処理装置ＧＳに対して接続されている画像形成装置Ｇｋは、１台に限るものではない。また、１台の画像形成装置Ｇｋに対して接続されている上位の画像処理装置ＧＳは、１台に限るものではない。さらに、画像形成装置Ｇｋが、画像処理装置ＧＳの機能を備えていてもよい。
【００８９】
このように、本実施例の画像処理システム１は、その画像処理装置ＧＳが、消費電力を削減する省電力モードを有する印刷先の画像形成装置Ｇｋに接続され、画像データを印刷先の該画像形成装置Ｇｋで印刷可能な印刷画像データに変換して該画像形成装置Ｇｋへ渡す画像処理装置であって、前記画像形成装置Ｇｋと通信する通信部（通信手段）２５と、前記画像データを前記印刷画像データに変換するデータ変換部（データ変換手段）２１と、前記データ変換部２１が前記画像データを前記印刷画像データへ変換して前記通信部２５から前記画像形成装置Ｇｋへ送信されるまでに要するＲＩＰ処理時間（データ準備時間）を算出する時間算出部（時間算出手段）２２と、前記画像形成装置Ｇｋの省電力モードへの移行を禁止する休止拒否（禁止情報）を、前記通信部２５を介して該画像形成装置Ｇｋへ出力する禁止部（禁止手段）２４と、前記時間算出部２２の算出する前記ＲＩＰ処理時間に基づいて前記休止拒否の出力を制御する制御部（制御手段）２３と、を備えている。
【００９０】
したがって、画像処理装置ＧＳが印刷画像データに変化すべき画像データを保有している場合に、該印刷画像データに変換するのに必要なＲＩＰ処理時間に基づいて、画像形成装置Ｇｋが省電力モードへ移行することを制御することができる。その結果、画像形成装置Ｇｋへ渡す処理対象データの処理に要する時間であるＲＩＰ処理時間に応じて、画像形成装置Ｇｋの省電力モードへの移行を制御することができ、処理効率を向上させつつ、消費電力効果を向上させることができる。
【００９１】
また、本実施例の画像処理システム１は、消費電力を削減する省電力モード（休止状態）を有する印刷先の画像形成装置Ｇｋと、画像データを印刷先の該画像形成装置Ｇｋで印刷可能な印刷画像データに変換して該画像形成装置Ｇｋへ渡す画像処理装置ＧＳと、が接続されている画像処理システムであって、前記画像処理装置ＧＳは、前記画像形成装置Ｇｋと通信する通信部（通信手段）２５と、前記画像データを前記印刷画像データに変換するデータ変換部（データ変換手段）２１と、前記データ変換部２１が前記画像データを前記印刷画像データへ変換して前記通信部２５から前記画像形成装置Ｇｋへ送信するまでに要するデータ準備時間であるＲＩＰ処理時間を算出する時間算出部（時間算出手段）２２と、前記画像形成装置Ｇｋの省電力モードへの移行を禁止する休止拒否（禁止情報）を、前記通信部２５を介して該画像形成装置Ｇｋへ出力する禁止部（禁止手段）２４と、前記時間算出部２２の算出する前記ＲＩＰ処理時間に基づいて前記休止拒否の出力を制御する制御部（制御手段）２３と、を備え、前記画像形成装置Ｇｋは、前記画像処理装置ＧＳと通信する通信部（通信手段）５１と、電力モードを制御するとともに、前記通信部５１が前記画像処理装置ＧＳから前記休止拒否を受信していると、該休止拒否を受信している間は、前記省電力モードへの移行を中止する電力モード制御部（電力モード制御手段）５２と、を備えている。
【００９２】
したがって、画像処理装置ＧＳが印刷画像データに変化すべき画像データを保有している場合に、該印刷画像データに変換するのに必要なＲＩＰ処理時間に基づいて、画像形成装置Ｇｋが省電力モードへ移行することを制御することができる。その結果、画像形成装置Ｇｋへ渡す処理対象データの処理に要する時間であるＲＩＰ処理時間に応じて、画像形成装置Ｇｋの省電力モードへの移行を制御することができ、処理効率を向上させつつ、消費電力効果を向上させることができる。
【００９３】
さらに、本実施例の画像処理システム１は、前記電力モード制御部５２が、自装置自体の状態が省電力モードへ移行する省電力移行条件を満たしたか判断して、該省電力移行条件を満たすと、前記通信部５１に前記画像処理装置ＧＳへ省電力モードへ移行する許可を求める休止要求（省電力移行許可要求）を送信させ、該休止要求に対して該通信部５１が前記休止拒否を受信しないと、該省電力モードへ移行する。
【００９４】
したがって、簡単な処理で画像形成装置Ｇｋが省電力モードへ移行することを制御することができ、処理効率を向上させつつ、消費電力効果を向上させることができる。
【００９５】
また、本実施例の画像処理システム１は、その画像処理装置ＧＳが、消費電力を削減する省電力モードを有する印刷先の画像形成装置Ｇｋに接続され、画像データを印刷先の該画像形成装置Ｇｋで印刷可能な印刷画像データに変換して該画像形成装置Ｇｋへ渡す画像処理装置ＧＳにおける画像処理方法であって、前記画像形成装置Ｇｋと通信する通信処理ステップと、前記画像データを前記印刷画像データに変換するデータ変換処理ステップと、前記データ変換処理ステップで前記画像データが前記印刷画像データへ変換されて前記通信処理ステップで前記画像形成装置Ｇｋへ送信されるまでに要するＲＩＰ処理時間（データ準備時間）を算出する時間算出処理ステップと、前記画像形成装置Ｇｋの省電力モードへの移行を禁止する休止拒否（禁止情報）を、前記通信処理ステップで該画像形成装置Ｇｋへ出力させる禁止処理ステップと、前記時間算出処理ステップで算出される前記ＲＩＰ処理時間に基づいて前記休止拒否の出力を制御する制御処理ステップと、を有する画像処理方法を実行する。
【００９６】
したがって、画像処理装置ＧＳが印刷画像データに変化すべき画像データを保有している場合に、該印刷画像データに変換するのに必要なＲＩＰ処理時間に基づいて、画像形成装置Ｇｋが省電力モードへ移行することを制御することができる。その結果、画像形成装置Ｇｋへ渡す処理対象データの処理に要する時間であるＲＩＰ処理時間に応じて、画像形成装置Ｇｋの省電力モードへの移行を制御することができ、処理効率を向上させつつ、消費電力効果を向上させることができる。
【００９７】
また、本実施例の画像処理システム１は、その画像処理装置ＧＳが、消費電力を削減する省電力モードを有する印刷先の画像形成装置Ｇｋに接続され、画像データを印刷先の該画像形成装置Ｇｋで印刷可能な印刷画像データに変換して該画像形成装置Ｇｋへ渡す画像処理装置ＧＳの搭載するプログラムであって、コンピュータに、前記画像形成装置Ｇｋと通信する通信処理と、前記画像データを前記印刷画像データに変換するデータ変換処理と、前記データ変換処理で前記画像データが前記印刷画像データへ変換されて前記通信処理で前記画像形成装置Ｇｋへ送信されるまでに要するＲＩＰ処理時間（データ準備時間）を算出する時間算出処理と、前記画像形成装置Ｇｋの省電力モードへの移行を禁止する休止拒否（禁止情報）を、前記通信処理で該画像形成装置Ｇｋへ出力させる禁止処理と、前記時間算出処理で算出される前記ＲＩＰ処理時間に基づいて前記休止拒否の出力を制御する制御処理と、を実行させるプログラムを搭載している。
【００９８】
したがって、画像処理装置ＧＳが印刷画像データに変化すべき画像データを保有している場合に、該印刷画像データに変換するのに必要なＲＩＰ処理時間に基づいて、画像形成装置Ｇｋが省電力モードへ移行することを制御することができる。その結果、画像形成装置Ｇｋへ渡す処理対象データの処理に要する時間であるＲＩＰ処理時間に応じて、画像形成装置Ｇｋの省電力モードへの移行を制御することができ、処理効率を向上させつつ、消費電力効果を向上させることができる。
【００９９】
さらに、本実施例の画像処理システム１は、その画像処理装置ＧＳが、前記省電力モードにある前記画像形成装置Ｇｋを通常電力モードへ復帰させる起動要求（復帰情報）を、前記通信部２５を介して該画像形成装置Ｇｋへ出力する復帰部（復帰手段）２６を、さらに備え、前記制御部２３が、印刷先の前記画像形成装置Ｇｋが前記省電力モードであると、前記ＲＩＰ処理時間に基づいて前記起動要求の出力を制御する。
【０１００】
したがって、既に省電力モードに移行している画像形成装置Ｇｋを、ＲＩＰ処理時間に基づいて復帰させて、動作させることができ、より一層処理効率を向上させつつ、より一層消費電力効果を向上させることができる。
【０１０１】
また、本実施例の画像処理システム１は、その画像処理装置ＧＳの前記時間算出部２２が、変換対象の前記画像データのデータ量と前記データ変換部２１による単位データ量当たりの変換に要する単位変換時間に基づいて、前記ＲＩＰ処理時間（データ準備時間）を算出する。
【０１０２】
したがって、ＲＩＰ処理時間を適切かつ正確に求めて画像形成装置Ｇｋの省電力モードを制御することができ、より一層処理効率を向上させつつ、より一層消費電力効果を向上させることができる。
【０１０３】
さらに、本実施例の画像処理システム１は、その画像処理装置ＧＳが、前記制御部２３による前記休止拒否（禁止情報）と前記起動要求（復帰情報）のうち少なくともいずれかの情報の出力制御による前記省電力モード制御機能の有効／無効を指示操作する操作部（操作手段）２７を、さらに備えている。
【０１０４】
したがって、ユーザの利用性に応じて画像形成装置Ｇｋの省電力モードへの移行を制御することができ、利用性を向上させることができる。
【０１０５】
また、本実施例の画像処理システム１は、その画像処理装置ＧＳが、情報を出力する情報出力部（情報出力手段）２８を、さらに備え、前記制御部２３が、前記ＲＩＰ処理時間を前記情報出力部２８に出力させる。
【０１０６】
したがって、ユーザの利用性に応じて画像形成装置Ｇｋの省電力モードへの移行を制御することができ、利用性を向上させることができる。
【０１０７】
さらに、本実施例の画像処理システム１は、その画像処理装置ＧＳが、前記画像形成装置Ｇｋが前記省電力モードへ移行するのに要する省電力移行時間及び該省電力モードから通常動作可能な通常電力モードへ復帰するのに要する復帰時間の総時間を該画像形成装置Ｇｋから取得する時間取得部（時間取得手段）２９を、さらに備え、前記制御部２３が、前記ＲＩＰ処理時間と前記総時間に基づいて、前記休止拒否（禁止情報）の出力を制御する。
【０１０８】
したがって、画像形成装置Ｇｋでの省電力モードへの移行時間、復帰時間を考慮して画像形成装置Ｇｋの省電力モードを制御することができ、より一層処理効率を向上させつつ、より一層消費電力効果を向上させることができる。
【０１０９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１０】
１  画像処理システム
ＨＳ  ホスト装置
ＧＳ  画像処理装置
ＧＫ  画像形成装置
ＮＷ  ネットワーク
ＤＬ  データ線
ＳＬ  制御線
１１  ＣＰＵ
１２  ＲＯＭ
１３  ＲＡＭ
１４  ハードディスク
１５  外部Ｉ／Ｆ
１６  制御情報用Ｉ／Ｆ
１７  印刷画像データ用Ｉ／Ｆ
１８  バス
２１  データ変換部
２２  時間算出部
２３  制御部
２４  禁止部
２５  通信部
２６  復帰部
２７  操作部
２８  情報出力部
２９  時間取得部
３０  プリンタコントローラ
３１  ＣＰＵ
３２  ＲＯＭ
３３  ＲＡＭ
３４  操作パネル
３５  Ｉ／Ｆ
３６  バス
４０  プリンタエンジン
４１ａ、４１ｂ、４１ｃ、４１ｄ  データ転送制御部
４２ａ、４２ｂ、４２ｃ、４２ｄ  メモリ
４３  画像出力部
４４  搬送制御部
５１  通信部
５２  電力モード制御部
【先行技術文献】
【特許文献】
【０１１１】
【特許文献１】特許３３４７５２３号公報
【特許文献２】特開２０１４ー１１７５５号公報
【図１】
2017151752.tif 000003
【図２】
2017151752.tif 000004
【図３】
2017151752.tif 000005
【図４】
2017151752.tif 000006
【図５】
2017151752.tif 000007
【図６】
2017151752.tif 000008
【図７】
2017151752.tif 000009
【図８】
2017151752.tif 000010